(57)【要約】【課題】新たにスイッチ等の部品を必要とせずに、ＡＤＦの装着状態、あるいはＡＤＦの開閉状態の検知が行える画像読取装置およびこれを使用した画像処理装置を提供する。【解決手段】ＡＤＦ１０では原稿読取位置に反射部材１０ｄを備えている。また、画像読取装置２０は、ＣＣＤ１と、発光素子３ａとミラー３ｂとを含むキャリッジ３と、ミラー対２と、結像レンズ６とを備えており、原稿をＡＤＦ１０を使用して読取る際は、発光素子３ａは、読取り位置にある原稿の部分に対して、読取口（図示省略）を通して光を照射し、その反射光は光路Ａに沿うようにミラー対２によって反射され、結像レンズ６によってＣＣＤ１上に結像される。ＣＣＤ１は、原稿が読取り位置に存在しなければＡＤＦ１０の反射部材１０ｄからの反射光を受けることになり、この反射光を解析して検知を行う。【選択図】図１
2008193587.tif 000002
【特許請求の範囲】
【請求項１】
原稿の読取に際し、原稿を自動的に搬送する自動原稿送り装置を装着可能な画像読取装置であって、前記自動原稿送り装置が搬送してきた原稿を所定の原稿読取位置で読取るための読取口と、該読取口を通して照明を照射する照明手段と、該照明手段が照射した照明の反射光を受ける受光手段と、該受光手段が受光した前記反射光の状態から前記自動原稿送り装置の装着状態あるいは前記自動原稿送り装置の開閉状態を検知する検知手段とを備えたことを特徴とする画像読取装置。
【請求項２】
前記自動原稿送り装置の前記原稿読取位置に、原稿が存在しない時に、前記照明手段が照射した照明を反射する反射部材を備えたことを特徴とする請求項１記載の画像読取装置。
【請求項３】
前記反射部材は、反射面が原稿の反射率より高い反射率を有し、前記検知手段は、前記反射光の光量に基づき前記自動原稿送り装置の装着状態あるいは前記自動原稿送り装置の開閉状態を検知することを特徴とする請求項２記載の画像読取装置。
【請求項４】
前記反射部材は、反射面に所定のパターンを有し、前記検知手段は、前記反射光のパターンに基づき前記自動原稿送り装置の装着状態あるいは前記自動原稿送り装置の開閉状態を検知することを特徴とする請求項２記載の画像読取装置。
【請求項５】
前記反射部材は、反射面が原稿の反射率より高い反射率と、所定のパターンとを有し、前記検知手段は、前記反射光の光量と反射光のパターンとに基づき前記自動原稿送り装置の装着状態あるいは前記自動原稿送り装置の開閉状態を検知することを特徴とする請求項２記載の画像読取装置。
【請求項６】
前記反射部材は、反射面に異なる２つのパターンを有し、前記検知手段は、前記２つの模様からの反射光パターンに基づき前記自動原稿送り装置の装着状態あるいは前記自動原稿送り装置の開閉状態を検知することを特徴とする請求項２記載の画像読取装置。
【請求項７】
請求項１乃至６のいずれか１項に記載の画像読取装置を備えたことを特徴とする画像処理装置。
【発明の詳細な説明】
【技術分野】
【０００１】
本発明は、画像読取装置およびそれを使用した画像処理装置に関し、特に画像読取装置へ装着した自動原稿送り装置（ＡＤＦ：Auto Document feeder）の装着状態、あるいは自動原稿送り装置の開閉状態の検知技術に関する。
【背景技術】
【０００２】
紙等に印刷あるいは手書き等で書かれたイメージを電子データとして読取る画像読取装置（イメージスキャナとも言う）は、パーソナルコンピュータに接続したり、電子ファイリング装置や複写機、ファクシミリ装置等の画像処理装置に接続したりして、画像の入力装置として利用されている。
【０００３】
図６は従来の画像読取装置を搭載した画像処理装置３０の外観図である。この画像処理装置３０では、本など、原稿を１枚ずつ折り曲げたり湾曲させたりすることができない場合は、一度図のように蓋を兼ねた自動原稿送り装置１０（以下ＡＤＦ１０と略す）を開けて、原稿の読取面を下向きにしてコンタクトガラス４の所定読取位置に載せて、再びＡＤＦ１０を閉じて原稿に圧板１７を押し当てて固定した後、操作パネル６０の図示しない読取（あるいはスタート）ボタンを押して原稿面を読取るようにしている。
画像読取装置２０には、検知スイッチ１８が備わっておりＡＤＦ１０の開閉を検知することができるようになっている。また、画像読取装置２０には、コンタクトガラス４の左側と、この位置に対応するＡＤＦ１０の下側の面には、ＡＤＦ１０を使用して原稿を読取る時の読取口５ｂ、５ａが設けられている。
【０００４】
図７は、図６で説明した画像読取装置のＡＤＦが閉じた状態での要部断面図である。ＡＤＦ１０を使用せず、手で原稿Ｇをセットした場合は、原稿を照射する発光素子３ａとミラー３ｂを含むキャリッジ３は、図示しない搬送手段によって原稿Ｇの下側の面を走査する。そして、原稿Ｇからの反射光は、ミラー対２に送られ、結像レンズ６を通してＣＣＤ１に結像する。
一方、原稿を１枚ずつ湾曲させてもよい場合は、操作者が原稿をＡＤＦ１０の原稿台１５に載せて、図示しない操作パネルの読取（あるいはスタート）ボタンを押すことにより、ＡＤＦ１０は自動的に原稿を１枚ずつ順次取り出し、画像読取装置２０は、所定の読取位置５を通過する原稿の画像を読取る。そして、原稿は読取終了後、排紙トレイ１６に排出されるようになっている。この時、ＡＤＦ１０が図６のように開いていると、原稿は正しい読取位置５から上に離れた所を通過することになり、読取った画像が歪んでしまったり、画像が読取れない状態になる。このような事態を回避するため、この従来技術の画像読取装置２０では、図６で説明したＡＤＦ１０の開閉を検知する検知スイッチ１８が備わっている。
この検知スイッチ１８は一般にリミットスイッチ（マイクロスイッチ）やフォトスイッチが使われている（例えば特許文献１参照）。
特許文献１の画像読取装置では、発光部と受光部とを有する開閉検知手段を備え、ＡＤＦの開閉動作に伴い受光部へ入る光量が変化することを利用してＡＤＦの開閉を検知している。
【特許文献１】特開２００１−１９７２６３公報
【発明の開示】
【発明が解決しようとする課題】
【０００５】
しかしながら、低コスト化や小型化を考えた場合、物理的配置の制約もあり、スイッチ等の部品を追加配置できないという問題がある。
本発明は、上記実情を考慮してなされたもので、新たにスイッチ等の部品を必要とせずに、ＡＤＦの装着状態、あるいはＡＤＦの開閉状態の検知が行える画像読取装置およびこれを使用した画像処理装置を提供することを目的とする。
【課題を解決するための手段】
【０００６】
上記課題を解決するために、請求項１に記載の画像読取装置は、原稿の読取に際し、原稿を自動的に搬送する自動原稿送り装置を装着可能な画像読取装置であって、前記自動原稿送り装置が搬送してきた原稿を所定の原稿読取位置で読取るための読取口と、該読取口を通して照明を照射する照明手段と、該照明手段が照射した照明の反射光を受ける受光手段と、該受光手段が受光した前記反射光の状態から前記自動原稿送り装置の装着状態あるいは前記自動原稿送り装置の開閉状態を検知する検知手段とを備えたことを特徴とする。
また、請求項２の発明は、請求項１記載の画像読取装置において、前記自動原稿送り装置の前記原稿読取位置に、原稿が存在しない時に、前記照明手段が照射した照明を反射する反射部材を備えたことを特徴とする。
また、請求項３の発明は、請求項２記載の画像読取装置において、前記反射部材は、反射面が原稿の反射率より高い反射率を有し、前記検知手段は、前記反射光の光量に基づき前記自動原稿送り装置の装着状態あるいは前記自動原稿送り装置の開閉状態を検知することを特徴とする。
【０００７】
また、請求項４の発明は、請求項２記載の画像読取装置において、前記反射部材は、反射面に所定のパターン（模様）を有し、前記検知手段は、前記反射光のパターンに基づき前記自動原稿送り装置の装着状態あるいは前記自動原稿送り装置の開閉状態を検知することを特徴とする。
また、請求項５の発明は、請求項２記載の画像読取装置において、前記反射部材は、反射面が原稿の反射率より高い反射率と、所定のパターン（模様）とを有し、前記検知手段は、前記反射光の光量と反射光のパターンとに基づき前記自動原稿送り装置の装着状態あるいは前記自動原稿送り装置の開閉状態を検知することを特徴とする。
また、請求項６の発明は、請求項２記載の画像読取装置において、前記反射部材は、反射面に異なる２つのパターン（模様）を有し、前記検知手段は、前記２つの模様からの反射光パターンに基づき前記自動原稿送り装置の装着状態あるいは前記自動原稿送り装置の開閉状態を検知することを特徴とする。
また、請求項７の画像処理装置は、請求項１乃至６のいずれか１項に記載の画像読取装置を備えたことを特徴とする。
【発明の効果】
【０００８】
本発明によれば、新たにスイッチ等の部品を使用せずに、ＡＤＦの装着状態、あるいはＡＤＦの開閉状態の検知が行え、コストの削減、小型化が実現できる。
【発明を実施するための最良の形態】
【０００９】
以下、図面を参照して、本発明の実施形態を詳細に説明する。なお、各図中、同一又は相当する部分には同一の符号を付しており、重複する説明は適宜簡略化ないし省略する。
図１は、本発明の画像読取装置のＡＤＦが閉じた状態での要部断面図である。同図において、ＡＤＦ１０は、画像読取装置２０に着脱可能になっている。また、図示しないケーブルでそれぞれが接続されている。このケーブルは、図示しない画像読取装置２０の操作パネルからの読取開始等の指令に同期して動作するための電気信号等を伝達するためのものである。
ＡＤＦ１０には、給紙コロ１０ａ、搬送コロ１０ｂ、レジストローラー１０ｃ、排紙コロ１０ｅおよび原稿読取位置に反射部材１０ｄが備わっており、各種コロやローラーを回転することにより、原稿の先端が給紙コロ１０ａから給紙され、搬送路Ｂに沿って搬送され、原稿後端が排紙コロ１０ｅを抜けるまで搬送される。
【００１０】
画像読取装置２０は、ＣＣＤ１と、発光素子３ａとミラー３ｂとを含むキャリッジ３と、ミラー対２と、結像レンズ６とを備えており、ＡＤＦ１０を使用して原稿を読取る際は、発光素子３ａから読取り位置にある原稿の部分に対して、読取口（図示省略）を通して光を照射する。その反射光は光路Ａに沿うようにミラー対２によって反射され、結像レンズ６によってＣＣＤ１上に結像される。
即ち、ＣＣＤ１は、原稿が読取り位置に存在すれば原稿からの反射光を、存在しなければＡＤＦ１０の反射部材１０ｄからの反射光を受けることになる。また、ＡＤＦ１０が正しくない位置に装着されている場合は、原稿からでも、反射部材１０ｄからでもない反射光を受けるか、反射光が受け取れないことになる。
なお、ＡＤＦ１０を使用しない時は、図７で説明したように、キャリッジ３が図示しない原稿の下側の面を走査しながら画情報に対応した反射光をＣＣＤ１に送ることになる。
【００１１】
図２は、反射部材１０ｄの表面の状態を説明する図である。反射部材１０ｄは、ＡＤＦ１０が正しく装着されているか、あるいは原稿搬送時に所定の位置（閉じた状態）にあるかを検知するため、発光素子３ａからの照射光を反射し、その反射光をＣＣＤ１に届ける役割がある。そのため、材質の選択や表面加工等により反射率が高くなるようにしてある。原稿との誤認を避けるために、通常の原稿ではありえない光量をＣＣＤ１に結像させる程度の反射率であることが望ましい。例えば、表面加工として銀やクロム等をメッキしたり、金属のシールを貼付したりしてもよい。また、反射部材１０ｄの乱反射光では十分な反射光量が得られない場合は、反射部材１０ｄを湾曲させたり、複数面にしたりして正反射光をＣＣＤ１に結像させるようにしても良い。更に、反射部材１０ｄは、搬送路Ｂのシートガイド部材を兼ねてもよい。
また、図２に示すように、反射部材１０ｄの反射側の面に所定のパターン（模様）を付与してもよい。イメージセンサの特性から考えて主走査方向に模様がある、例えば同図のように縦縞のような模様が望ましい。この例では、原稿に印刷（あるいは描かれる）パターンと類似しないパターン１１ａと、等間隔の縦縞が並ぶパターン１１ｂとを付与しているが、どちらか１つでもよい。
【００１２】
図３は、ＡＤＦを含む画像読取装置の構成を示すブロック図である。ＲＯＭ５３に格納されたプログラムをＣＰＵ５１が解釈して実行する。実行する際の一時的な記憶領域としてはＲＡＭ５２を使用する。
ＣＣＤ１で受光した反射光は、アナログ画情報となり、Ａ／Ｄ変換部６１によってデジタル化され、周辺Ｉ／Ｆ５４を経由して、ＣＰＵ５１が処理可能な画像情報になる。また、この画像情報は画像メモリ５５に蓄えることもでき、必要に応じて反射部材１０ｄのパターンを認識する画像認識処理を含む画像処理部５６を用いて分析、加工後ＲＡＭ５２に蓄積することもできる。また、ＣＰＵ５１は、必要に応じて周辺Ｉ／Ｆ５４と駆動制御部５７を通じて、コロ、ローラー、モーター等の制御、発光素子点灯・消灯等の制御を行う。
Ｉ／Ｏ制御部５９は、画像読取装置に設けられた操作パネル６０とＣＰＵ５１との入出力を制御して、操作パネル６０とＣＰＵ５１との間で入出力データをやり取りするものである。操作パネル６０には、図示しないが、画像読取装置向けの読取開始ボタンだけでなく、接続されている複写機やファクシミリ装置などの画像処理装置向けの、コピー枚数設定キーや原稿の種類（文字、写真）選択キー、用紙サイズ選択キーなども含み、更に操作者向けの確認のための表示を行う液晶ディスプレイ（ＬＣＤ）も備えている。
通信部６３は、読取った画像や操作パネル６０から入力された各種設定値、選択されたデータ等を作像部を持つ画像処理装置に送信するためのインターフェースである。
【００１３】
次に、本発明の画像読取装置の動作を図面を参照して説明する。
図４は、本発明の画像読取装置にかかる原稿読取時の動作を示すフローチャートである。この動作は、図３で説明したＲＯＭ５３に格納されているプログラムをＣＰＵ５１が実行することで実現される。
ＡＤＦに原稿がセットされた状態でスタートボタンの押下を検出すると（ステップ４０１）、駆動制御部５７は照明の光源である発光素子を点灯し、周辺Ｉ／Ｆ５４は、ＣＣＤ１に入射した反射光をＡＤ変換して読み取りＲＡＭ５２に保持する（ステップ４０２）。ＣＰＵ５１はＲＡＭ５２に保持された反射光のデータを調べ、ＡＤＦが正常な位置にあるか（閉まっているか）を確認する（ステップ４０３）。
【００１４】
正常位置にある場合は、反射光の光量（強度）が所定値より大きいこと、所定のパターンが検出されたこと、等間隔の縦縞パターンが検出されたこと等で検知できる。この３つのチェックを全て行う必要はなく、１つあるいは２つが確認されれば正常位置であると判断してよい。正常位置が確認できなかった場合は、操作パネル６０にエラーを表示して停止し（ステップ４０７）、処理を終える。
正常位置が確認されたら、駆動制御部５７は、原稿の搬送を開始し（ステップ４０４）、原稿が所定の読取位置に達したら、発光素子を点灯し原稿を読取る（ステップ４０５）。そして、ＡＤＦに原稿が無くなったかの検知を行い（ステップ４０６）、原稿終了なら処理を終える。原稿が残っていれば（ステップ４０６でＮＯなら）ステップ４０４に戻り次の原稿の搬送、読取を繰り返す。
このようにして、ＡＤＦを使用して原稿画像を読取る際には、ＡＤＦの装着状態やＡＤＦの開閉状態の検知が行われ、原稿を正しく読取ることができる。
なお、以上の動作は、ＡＤＦに原稿がセットされた状態がＡＤＦのセンサー等で確認されている場合の動作であり、ＡＤＦに初めから原稿がセットされていない時にスタートボタンが押された場合は、コンタクトガラスに原稿が置かれているものと想定し、キャリッジは原稿の下側の面を走査して原稿上の画像を読取ることになる。
【００１５】
図５は、本発明の他の実施形態にかかる画像読取装置の断面図である。
この実施形態は、ＡＤＦを使用しない場合にＡＤＦが装着されていないことを画像読取装置２０に認識させる例である。
画像読取装置２０のＡＤＦ使用時の画像読取位置に図１および図２で説明した反射部材１０ｄと同様の反射部材１９を安定的に置くための止め具２１を設けて、図４で説明した開閉確認を行うことで、確実にＡＤＦを使用しないということが認識できる。但しこの場合は、ＡＤＦの反射部材１０ｄとは異なる反射率、異なるパターンの反射部材１９を使用する。また形状は平板か上に凸形状が安定的で好ましい。
【００１６】
以上説明したように、本発明を適用すれば、ＡＤＦを搭載した従来の画像読取装置のハードウェアにスイッチなどの部品を追加することなく、原稿の読取前に発光素子を点灯して反射光を解析するだけで、安価にＡＤＦの装着状態や開閉状態が検知でき、装置の小型化にも効果がある。
また上記実施の形態で説明した、ブック型画像読取装置とシートスルータイプのＡＤＦとの組み合わせ以外でも本発明は適用可能である。例えば、シートスルータイプのＡＤＦのみを備えたファクシミリ装置のような形態でも、あるいはＡＤＦが主走査方向に開閉する（開閉中心軸が主走査方向に垂直な）タイプだけでなく、副走査方向に開閉する（開閉中心軸が副走査方向に垂直な）タイプに対しても、容易に本発明を適用することができる。
【図面の簡単な説明】
【００１７】
【図１】本発明の画像読取装置のＡＤＦが閉じた状態での要部断面図である。
【図２】反射部材の表面の状態を説明する図である。
【図３】ＡＤＦを含む画像読取装置の構成を示すブロック図である。
【図４】本発明の画像読取装置にかかる原稿読取時の動作を示すフローチャートである。
【図５】本発明の他の実施形態にかかる画像読取装置の断面図である。
【図６】従来の画像読取装置を搭載した画像処理装置の外観図である。
【図７】図６に示した画像読取装置のＡＤＦが閉じた状態での要部断面図である。
【符号の説明】
【００１８】
１…ＣＣＤ、２…ミラー対、３…キャリッジ、３ａ…発光素子、３ｂ…ミラー、４…コンタクトガラス、５…読取位置、５ａ，５ｂ…読取口、６…結像レンズ、１０…自動原稿送り装置（ＡＤＦ）、１０ａ…給紙コロ、１０ｂ…搬送コロ、１０ｃ…レジストローラー、１０ｄ，１９…反射部材、１０ｅ…排紙コロ、１１ａ…パターン、１１ｂ…パターン、１５…原稿台、１６…排紙トレイ、１７…圧板、１８…検知スイッチ、２０…画像読取装置、２１…留め具、３０…画像処理装置、５１…ＣＰＵ、５２…ＲＡＭ、５３…ＲＯＭ、５４…周辺Ｉ／Ｆ、５５…画像メモリ、５６…画像処理部、５７…駆動制御部、５９…Ｉ／Ｏ制御部、６０…操作パネル、６１…Ａ／Ｄ変換部、６３…通信部
【図１】
2008193587.tif 000003
【図２】
2008193587.tif 000004
【図３】
2008193587.tif 000005
【図４】
2008193587.tif 000006
【図５】
2008193587.tif 000007
【図６】
2008193587.tif 000008
【図７】
2008193587.tif 000009